(57)【要約】  【課題】２値化の閾値をフィードバック制御する方法に比してランドプリピットＬＰＰの検出とアドレス情報の復号との処理の追従性を良好とし、閾値が適正値からずれている場合でも正しいアドレスを検出する確立を高くする。  【解決手段】光ディスクから再生されたプッシュプル信号が閾値と比較され、２値化される。２値化ＬＰＰ信号の各計測期間におけるＬＰＰ幅が計測され、レジスタに記憶される。アドレスデコーダでは、ノイズと判定する制限値Ｗlimが最初は、１と設定され、ＬＰＰ幅がＷlim以上の場合に、ＬＰＰが存在するものとして１の値とされる。このデータパターンが復号される。Ｗlimが１，２，・・・と順次大きくされ、正しいアドレス復号結果が得られた場合に、アドレス復号の処理が終了する。【選択図】図５
2008004240.tif 000002
【特許請求の範囲】
【請求項１】
光ディスク媒体の記録トラックの案内溝を形成するグルーブ間のランド部にプリピットが形成され、プリピットによって、アドレス情報を検出する光ディスク装置であって、
前記プリピットに対応するプリピット信号成分を含むプッシュプル信号を出力するプッシュプル信号出力手段と、
前記プッシュプル信号を閾値と比較して２値化し、２値化プリピット信号を出力する２値化手段と、
前記２値化プリピット信号の内でプリピットに対応するプリピット幅を検出するプリピット幅検出手段と、
少なくともアドレス情報の符号長分の前記プリピット幅を一時的に記憶するプリピット幅記憶手段と、
前記プリピット幅記憶手段によって記憶されたプリピット幅と制限値とを比較し、前記制限値より広い幅の前記プリピット幅を前記プリピットに対応しているものと検出するプリピット検出手段と、
検出された前記プリピットを用いてアドレスを復号すると共に、復号されたアドレスのエラーの有無を検出するアドレス復号手段とを備え、
前記制限値を順次変化させて、前記アドレス復号手段によって正しくアドレスを復号できたか否かを判定し、正しくアドレスを復号できた場合の前記制限値を適正な値として採用することを特徴とする光ディスク装置。
【請求項２】
前記正しくアドレスを復号できた場合の前記制限値が予め設定された目標値となるように、前記閾値を制御することを特徴とする請求項１記載のアドレス検出装置。
【請求項３】
光ディスク媒体の記録トラックの案内溝を形成するグルーブ間のランド部にプリピットが形成され、プリピットによって、アドレス情報を検出するアドレス検出方法であって、
前記プリピットに対応するプリピット信号成分を含むプッシュプル信号を出力するプッシュプル信号出力ステップと、
前記プッシュプル信号を閾値と比較して２値化し、２値化プリピット信号を出力する２値化ステップと、
前記２値化プリピット信号の内でプリピットに対応するプリピット幅を検出するプリピット幅検出ステップと、
少なくともアドレス情報の符号長分の前記プリピット幅を一時的に記憶するプリピット幅記憶ステップと、
前記プリピット幅記憶ステップによって記憶されたプリピット幅と制限値とを比較し、前記制限値より広い幅の前記プリピット幅を前記プリピットに対応しているものと検出するプリピット検出ステップと、
検出された前記プリピットを用いてアドレスを復号すると共に、復号されたアドレスのエラーの有無を検出するアドレス復号ステップとを備え、
前記制限値を順次変化させて、前記アドレス復号ステップによって正しくアドレスを復号できたか否かを判定し、正しくアドレスを復号できた場合の前記制限値を適正な値として採用することを特徴とするアドレス検出方法。
【請求項４】
前記正しくアドレスを復号できた場合の前記制限値が予め設定された目標値となるように、前記閾値を制御することを特徴とする請求項３記載のアドレス検出方法。
【発明の詳細な説明】
【技術分野】
【０００１】
この発明は、光ディスク上に記録されているアドレスをプリピットを使用して良好に検出することを可能とする光ディスク装置およびアドレス検出方法に関する。
【背景技術】
【０００２】
記録可能な光ディスクシステムにおいては、主データが未記録の状態でもディスク上の位置が特定できるように、補助的なアドレス信号が記録される。読み出し専用ディスクであるＤＶＤ(Digital Versatile Disc)−ＲＯＭと高い再生互換性を持つ記録可能な光ディスクであるＤＶＤ−Ｒディスク、ＤＶＤ−ＲＷディスクが普及している。これらの光ディスクのプリフォーマットとして、グルーブウォブルとランドプリピットが採用されている。ディスク基板には、案内溝として、一定の振幅および空間周波数でもってうねらされたウォブルグルーブが形成され、グルーブに対してデータが記録される。また、グルーブとグルーブの間の領域がランドと呼ばれ、ランド上にピットが配されている。このピットがランドプリピット（以下、ＬＰＰと適宜略す）と呼ばれる。
【０００３】
ウォブルグルーブを再生した信号は、ディスクを回転させるためのスピンドルモータの制御信号を形成し、また、ＬＰＰを検出するためのゲート信号を生成するために使用される。ＬＰＰは、データ記録時の高精度の位置決めと、記録アドレスその他の記録に必要な情報を取得するために使用される。
【０００４】
ウォブルグルーブに対応する正弦波状のウォブル信号およびＬＰＰに対応するＬＰＰ信号は、ディスクからのレーザ反射光をプッシュプル（差動）検出することで得られるプッシュプル信号から検出される。ＬＰＰ信号は、同期信号で規定されるシンクフレームのそれぞれのウォブル信号の最初の３個の頂点に位置し、３ビットで１セットを構成している。
【０００５】
図１は、プッシュプル信号からＬＰＰ信号を形成する処理を概念的に示す。す。ディスクには、予め螺旋状或いは同心円状にグルーブが形成されている。図１は、グルーブの円周のごく一部を示したものであり、グルーブが直線で表現されている。ＤＶＤ−Ｒ、ＤＶＤ−ＲＷにおいては光ピックアップから出射されるレーザ光のビームスポットがグルーブを案内され、グルーブ間がランドによって仕切られている。
【０００６】
ＬＰＰは、ランドに局所的に形成された窪みである。ディスクのアドレス情報は、２進数データとして符号化され、この２進数データにＬＰＰの有無を対応させたパターンが一定間隔でディスク上に予め形成されている。
【０００７】
光ピックアップは、グルーブの延長方向を挟んで２分割された２個の光検出部の検出信号の差信号をプッシュプル信号として出力する。プッシュプル信号の振幅は、ビームスポットがグルーブの両外側にどのようなバランスでかかっているかかで変化する。光ディスクのトラッキングサーボは、このプッシュプル信号を用いてビームスポットが走査中のグルーブの両外側のランドに均等にかかるように、光ピックアップの読み取り位置を制御する。ビームスポットがＬＰＰの横を通過する瞬間は、グルーブの両外側のランドの形状が不均等になるため、プッシュプル信号の振幅が大きく変化する。トラッキングサーボは、プッシュプル信号が常に一定値になるような制御を行うものであるが、ビームスポットがＬＰＰの横を通過する時間は極めて短く追従できないので、ＬＰＰに対応するプッシュプル信号の変化が打ち消されることはない。
【０００８】
プッシュプル信号がある閾値(ＬＰＰスライスレベル)と比較され、この閾値より大きいレベルのプッシュプル信号が検出された場合は、ＬＰＰ有り（論理的レベル１）、この信号が検出されなかった場合は、ＬＰＰ無し（論理的レベル０）と２値化した２値化ＬＰＰ信号を形成する。２値化ＬＰＰ信号は、アドレス情報を符号化したデータパターンに対応し、このデータパターンをアドレスデコーダで処理することにより、アドレス情報が検出される。
【０００９】
ＬＰＰスライスレベルをどのような値に設定するかということは、アドレス情報を正確に検出する上で非常に重要である。実際のプッシュプル信号には様々な原因によりノイズが加算されているため、ＬＰＰスライスレベルを低く設定し過ぎると、本来ＬＰＰが存在しない部分でノイズをＬＰＰと誤検出する場合がある。逆にＬＰＰスライスレベルを高く設定し過ぎると、ノイズの影響や、ディスク上に形成されているＬＰＰのばらつきで、プッシュプル信号の変化が低下した時に、本来存在するＬＰＰを取りこぼす可能性が有る。
【００１０】
従来からＬＰＰスライスレベルの制御方式が提案されている。例えば、下記の特許文献１には、２値化されたＬＰＰ信号の幅が所定の基準値に一致するようにＬＰＰスライスレベルをを制御する方式が開示されている。
【００１１】
【特許文献１】特開２００４−１０３０４６号公報
【発明の開示】
【発明が解決しようとする課題】
【００１２】
特許文献１に記載されたものは、２値化ＬＰＰ信号をある方式によって評価した結果をＬＰＰスライスレベル制御にフィードバックするという考えに基づいている。したがって、そのフィードバック制御が制定して適切なＬＰＰスライスレベルが設定される前では、アドレス検出誤りを生じ易いこと、また、フィードバック帯域より速い突発的なプッシュプル信号品質の変化に追従できないという問題があった。
【００１３】
したがって、この発明の目的は、フィードバック制御に本質的に存在する追従遅れの問題を解決することができる光ディスク装置およびアドレス検出方法を提供することにある。
【課題を解決するための手段】
【００１４】
上述した課題を解決するために、この発明は、光ディスク媒体の記録トラックの案内溝を形成するグルーブ間のランド部にプリピットが形成され、プリピットによって、アドレス情報を検出する光ディスク装置であって、
プリピットに対応するプリピット信号成分を含むプッシュプル信号を出力するプッシュプル信号出力手段と、
プッシュプル信号を閾値と比較して２値化し、２値化プリピット信号を出力する２値化手段と、
２値化プリピット信号の内でプリピットに対応するプリピット幅を検出するプリピット幅検出手段と、
少なくともアドレス情報の符号長分のプリピット幅を一時的に記憶するプリピット幅記憶手段と、
プリピット幅記憶手段によって記憶されたプリピット幅と制限値とを比較し、制限値より広い幅のプリピット幅をプリピットに対応しているものと検出するプリピット検出手段と、
検出されたプリピットを用いてアドレスを復号すると共に、復号されたアドレスのエラーの有無を検出するアドレス復号手段とを備え、
制限値を順次変化させて、アドレス復号手段によって正しくアドレスを復号できたか否かを判定し、正しくアドレスを復号できた場合の制限値を適正な値として採用することを特徴とする光ディスク装置である。
【００１５】
また、この発明は、光ディスク媒体の記録トラックの案内溝を形成するグルーブ間のランド部にプリピットが
形成され、プリピットによって、アドレス情報を検出するアドレス検出方法であって、
プリピットに対応するプリピット信号成分を含むプッシュプル信号を出力するプッシュプル信号出力ステップと、
プッシュプル信号を閾値と比較して２値化し、２値化プリピット信号を出力する２値化ステップと、
２値化プリピット信号の内でプリピットに対応するプリピット幅を検出するプリピット幅検出ステップと、
少なくともアドレス情報の符号長分のプリピット幅を一時的に記憶するプリピット幅記憶ステップと、
プリピット幅記憶ステップによって記憶されたプリピット幅と制限値とを比較し、制限値より広い幅のプリピット幅をプリピットに対応しているものと検出するプリピット検出ステップと、
検出されたプリピットを用いてアドレスを復号すると共に、復号されたアドレスのエラーの有無を検出するアドレス復号ステップとを備え、
制限値を順次変化させて、アドレス復号ステップによって正しくアドレスを復号できたか否かを判定し、正しくアドレスを復号できた場合の制限値を適正な値として採用することを特徴とするアドレス検出方法である。
【発明の効果】
【００１６】
この発明は、計測され、記憶されているプリピット幅と制限値とを比較し、制限値より広い幅のプリピット幅をプリピットに対応しているものと検出し、検出されたプリピットを用いてアドレス復号した場合に、アドレスを正しく復号できる制限値を適正な値として採用する。したがって、閾値をフィードバック制御する方法と比較して追従遅れが生じることがない。また、閾値が適正値からずれている場合にも、正しいアドレスを検出する確率を高めることができる。
【発明を実施するための最良の形態】
【００１７】
以下、図面を参照してこの発明の一実施の形態の光ディスク装置について説明する。図２に示すように、アドレス方式として、ウォブルグルーブおよびＬＰＰを採用した光ディスク１（ＤＶＤ−Ｒ、ＤＶＤ−ＲＷ等）がスピンドルモータ２によって回転される。光ピックアップ３には、レーザダイオードが含まれ、レーザ光によって光ディスク１に対してデータが書き込まれ、また、光ディスク１からの戻りレーザ光によってデータが再生される。
【００１８】
光ピックアップ３は、送りモータ４およびアクチュエータ５によってディスク径方向に送られる。スピンドルモータ２および送りモータ４がサーボ制御部６によって制御されると共に、光ピックアップ３のトラッキングおよびフォーカスがサーボ制御部６によって制御される。
【００１９】
光ディスク装置には、ホストインターフェース１０を介して、外部のホストコンピュータ（図示せず）から光ディスク１へ記録すべきデータが入力され、光ディスク１から再生されたデータがホストインターフェース１０を介して、外部のホストコンピュータに供給される。ホストインターフェース１０からの記録データは、エラー訂正符号化のエンコーダ１１およびディジタル変調部１２を介して光ピックアップ３に供給される。光ピックアップ３により再生されたデータがディジタル変調の復調部１３およびエラー訂正符号化のデコーダ１４を介してホストインターフェース１０に供給される。ディジタル変調方式としては、例えば８−１６変調が使用される。
【００２０】
光ピックアップ３は、レーザダイオード、ビームスプリッタ、対物レンズ、フォトディテクタ等を含んでいる。光ピックアップ３は、記録データに応じて制御されたレーザビームを光ディスク１の書き込み位置に対して照射する。照射した光ビームの反射光がフォトディテクタによって受光される。フォトディテクタは、例えば２分割または４分割構成とされ、トラッキングの接線方向に対して平行に配された２個のフォトディテクタに対して反射光が入射される。
【００２１】
分割フォトディテクタの検出信号の和信号がデータ再生信号として復調部１３に供給される。また、分割フォトディテクタの再生信号がサーボエラー信号生成部１５に供給される。サーボエラー信号生成部１５は、トラッキングエラー信号、フォーカスエラー信号等のサーボエラー信号を生成し、生成されたサーボエラー信号がサーボ制御部６に供給される。また、サーボエラー信号生成部１５により生成されたプッシュプル信号がランドプリピット（ＬＰＰ）検出部１６に供給される。
【００２２】
ＬＰＰ検出部１６の検出信号がアドレスデコーダ１７に供給され、アドレスが復号される。アドレスデコーダ１７からのアドレスがマイクロコンピュータで構成されたシステムコントローラ１８に供給される。システムコントローラ１８は、ホストインターフェース１０と接続されている。システムコントローラ１８は、アドレスデコーダ１７からのアドレスを受け取り、サーボ制御部６を介して光ピックアップ３を制御することによって、光ディスク１上の所望のアドレスに対してデータを書き込み、また、所望のアドレスからデータを読み出す。
【００２３】
ＬＰＰ検出部１６の構成例を図３に示す。ＬＰＰ検出部１６は、サーボエラー信号生成部１５から供給されるプッシュプル信号が比較器２１において、閾値発生回路２２からの閾値（ＬＰＰスライスレベル）と比較される。閾値発生回路２２は、予め設定された固定のＬＰＰスライスレベル（後述するＬＰＰ検出方法の一例の場合）またはシステムコントローラ１８によって制御されたレベルのＬＰＰスライスレベル（後述するＬＰＰ検出方法の他の例の場合）を発生する。比較器２１から２値化ＬＰＰ信号が出力される。２値化ＬＰＰ信号がランドプリピット（ＬＰＰ）幅計測回路２３に供給される。
【００２４】
ＬＰＰ幅計測回路２３は、所定周波数のクロックパルスの個数としてＬＰＰ幅を計測する。ＬＰＰ幅計測回路２３によって計測されたＬＰＰ幅がｎ個のレジスタＲ１，Ｒ２，・・・，Ｒｎを含むレジスタ群２４に蓄えられる。ｎの値は、アドレスを表現するためのビット数に対応し、各レジスタのビット長は、ＬＰＰの幅の計測値を蓄えることが可能な程度に設定されている。レジスタ群２４のｎ個のレジスタＲ１〜Ｒｎの出力がアドレスデコーダ１７に供給され、アドレスデコーダ１７によってアドレス情報が復号される。
【００２５】
ＤＶＤ−Ｒ、ＤＶＤ−ＲＷ等のフォーマットで採用されているＬＰＰ符号化方式は複雑であるが、この発明の本質を簡潔に説明するために、アドレス情報が８ビット（符号長）の値で表現され、８ビット中にＬＰＰが存在する数、すなわち、２値化ＬＰＰ信号において１（ハイレベル）と検出されるビット数が常に偶数となるように、符号化されているフォーマットを想定する。
【００２６】
図４に示すようなプッシュプル信号が比較器２１に供給されると、ＬＰＰスライスレベルよりプッシュプル信号のレベルが大きい場合に１となり、そうでない場合に０となる２値化ＬＰＰ信号が得られる。ＬＰＰスライスレベルは、ノイズ成分を０とし、ＬＰＰ成分を１とするように設定される。但し、ＬＰＰスライスレベルを越えるような比較的大きなレベルのノイズが発生する場合もある。２値化ＬＰＰ信号がＬＰＰ幅計測回路２３に供給され、破線で区切って示す一定周期Ｔ毎に、１の期間の長さがクロックパルスの個数としてカウンタによってカウントされる。
【００２７】
ＬＰＰ幅計測回路２３によって計測されたＬＰＰ幅がレジスタ群２４のレジスタＲ１〜Ｒ８のそれぞれに順次蓄えられる。図４には、（０，８，６，０，７，３，０，８）の計測値の例が示されている。各レジスタは、例えば４ビット長とされ、例えば計測値＝６を蓄えるレジスタＲ３の内容が（０１１０）となる。レジスタ群２４に蓄積されたＬＰＰ計測値がアドレスデコーダ１７に供給され、アドレスデコーダ１７が８ビットのデータパターンに基づいてアドレスを復号する。
【００２８】
図４に示す例では、ＬＰＰスライスレベルより大きなノイズ成分が存在するので、ＬＰＰ幅計測値がＬＰＰ幅制限値例えば４以上のものをＬＰＰ成分と判定することによって、ＬＰＰ成分とノイズ成分とを正しく識別することができる。すなわち、プッシュプル信号に含まれているノイズ成分は、多くの場合、ＬＰＰ成分の幅よりも短いので、ある制限値以下（例えば３以下）の幅のものをノイズ成分とみなして除去することが効果的である。この例では、正しいＬＰＰのデータパターンは、（０１１０１００１）である。しかしながら、ノイズと判定するためのＬＰＰ幅制限値を７以上に設定したと仮定すると、計測値が６のＬＰＰ成分を見落としてしまい、本当のＬＰＰ成分を見落としてしまう。
【００２９】
このように、計測幅と比較されて正しくＬＰＰ成分を検出するためのＬＰＰ幅制限値としては、適正範囲が存在する。実際に、適正範囲を正しく設定することは、光ディスク、光ディスク装置、温度変化、経年変化等の種々の条件によって難しい。 この発明の一実
施の形態では、レジスタ群２４に蓄えられているＬＰＰ幅計測値をアドレスデコーダ１７で処理し、ＬＰＰスライスレベルを制御することによって、正しくＬＰＰのデータパターンを検出することができる。
【００３０】
この発明の一実施の形態におけるアドレスデコーダ１７のアドレス復号処理の一例について図５のフローチャートを参照して説明する。なお、フローチャートの流れにしたがって例えばシステムコントローラ１８の機能としてソフトウェア処理でアドレス復号を行うのに限らず、ハードウェア（回路構成）によってアドレス復号を行うようにしても良い。図５および以下の説明では、ＬＰＰ幅計測値をＬＰＰ幅と適宜称し、ＬＰＰ幅制限値をＷlimと表記する。ステップＳ１において、Ｗlimが最小値の１とされる。ステップＳ２において、（ＬＰＰ幅≧Ｗlim）のＬＰＰのみを１とするように復号する。（Ｗlim＝１）の時には、図４の例では、復号結果であるＬＰＰのデータパターンが（０１１０１１０１）となる。
【００３１】
ステップＳ３において、正しく復号できたか否かが判定される。ここでは、ＬＰＰに対応する１の個数が偶数であれば、正しく復号できたと判定される。（Ｗlim＝１）の場合
には、１が奇数存在するので、正しく復号できなかったと判定される。この場合には、処理がステップＳ４に移る。なお、上述したように、ＤＶＤ−Ｒ、ＤＶＤ−ＲＷ等のフォーマットで採用されているＬＰＰ符号化方式では、より複雑にアドレス情報が規定されており、アドレス復号時にエラーが検出および訂正されるようになされている。この場合では、エラー検出結果から正しくアドレスが復号できたか否かが判定される。
【００３２】
ステップＳ４において、現在のＷlimの値が最大値か否かが判定される。Ｗlimの最大値は、例えば前述した計測期間Ｔの全体が１の値となった場合の値であり、計測用クロックの周期をｔとすると、Ｔ／ｔの値（整数）である。最大値でない場合には、ステップＳ５において、Ｗlimが＋１され、ステップＳ２の処理（アドレス復号処理）がなされる。図
４の例では、Ｗlim＝２とされた場合には、ＬＰＰのデータパターンが（Ｗlim＝１）の場合と同一の（０１１０１１０１）となる。このデータパターンも１の個数が奇数であるため、正しく復号できなかったと判定される。
【００３３】
（Ｗlim＝３）とされた場合も、データパターンが （０１１０１１０１）となる。（Ｗlim＝４）とされた場合には、データパターンが（０１１０１００１）となり、１の個数
が偶数となるので、ステップＳ３において正しく復号できたと判定される。この場合には、ステップＳ６の正常終了となる。
【００３４】
このようなアドレス復号処理は、ＬＰＰ幅制限値Ｗlimの適正範囲を予め設定しなくて
も、正しい復号結果を得ることが可能である。若し、順次Ｗlimを最大値まで増加させる
処理がなされても、ステップＳ３の判定結果として正しく復号できた結果が得られない場合には、ステップＳ７において、エラーと判定され、アドレスが復号できなかったとして処理が終了する。
【００３５】
図６および図７は、アドレス復号方法の他の例の処理を示す。二つの図面にフローチャートがまたがっているのは、作図スペースの制限のためであり、両者の接続箇所をＡおよびＢの文字でそれぞれ示す。他の例は、正しく復号できた場合でも、ＬＰＰ制限値Ｗlim
を増加させて、Ｗlimの適正範囲を検出し、検出された適正範囲に応じてＬＰＰスライス
レベルを制御するものである。すなわち、Ｗlimの適正範囲がＬＰＰ幅の狭い方に存在す
る場合には、ＬＰＰスライスレベルを低下させ、逆に、Ｗlimの適正範囲がＬＰＰ幅の広
い方に存在する場合には、ＬＰＰスライスレベルを高くさせるもので、より高性能のＬＰＰ検出装置を構成するものである。
【００３６】
他の例においても、フローチャートの流れにしたがってソフトウェア処理でアドレス復号を行うのに限らず、ハードウェア（回路構成）によってＬＰＰ検出およびアドレス復号を行うようにしても良い。図６のステップＳ１１において、Ｗlimが最小値の１とされる
。ステップＳ１２において、（ＬＰＰ幅≧Ｗlim）のＬＰＰのみを１とするように復号す
る。ステップＳ１３において、正しく復号できたか否かが判定される。
【００３７】
ステップＳ１３において、正しく復号できたか否か（ＬＰＰに対応する１の個数が偶数か）が判定される。正しく復号できなかったと判定される場合には、処理がステップＳ１４に移る。ステップＳ１４において、現在のＷlimの値が最大値か否かが判定される。最
大値の場合には、処理が終了する。最大値でない場合には、ステップＳ１５において、Ｗlimが＋１され、ステップＳ１２の処理がなされる。ステップＳ１１〜Ｓ１５の処理は、
図５におけるステップＳ１〜Ｓ５の処理と同様である。
【００３８】
Ｗlim＝４とされた場合には、データパターンが（０１１０１００１）となり、１の個
数が偶数となるので、ステップＳ１３において正しく復号できたと判定される。他の例では、この場合でも、処理が終了せずに、ステップＳ１６において、現在のＷlimをＬＰＰ
制限値下限Ｗminとして記憶する。 そして、ステップＳ１７において、Ｗminが＋１され
、Ｗmin＝５とされる。
【００３９】
図７のステップＳ１８において、（ＬＰＰ幅≧Ｗlim）のＬＰＰのみを１とするように
復号する。（Ｗlim＝５）の時には、図４の例では、復号結果であるＬＰＰのデータパタ
ーンが（０１１０１００１）となり、ステップＳ１９において、正しく復号できたと判定される。ステップＳ２０において、現在のＷlimの値が最大値か否かが判定される。（Ｗlim＝５）は最大値でないので、ステップＳ２１において、Ｗminが＋１され、Ｗmin＝６とされ、ステップＳ１８に戻る。
【００４０】
（Ｗlim＝６）の場合も、復号結果であるＬＰＰのデータパターンが（０１１０１００
１）となり、正しく復号できたと判定され、ステップＳ２１において、Ｗmin＝７とされ
る。（Ｗlim＝７）とすると、ステップＳ１８の復号の結果、（０１００１００１）のデ
ータパターンが得られる。このデータパターンでは、１の個数が奇数であるため、ステップＳ１９において、正しく復号できなかったと判定される。その場合には、ステップＳ２２において、現在のＷlimから１を減じた値（Ｗlim−１）をＬＰＰ制限値上限Ｗmaxとし
て記憶する。
【００４１】
また、Ｗlimを最大値まで増加させて行き、ステップＳ２０において、Ｗlimが最大値であると判定された場合には、ステップＳ２３において、現在のＷlimをＬＰＰ制限値上限
Ｗmaxとして記憶する。ステップＳ１６において、ＬＰＰ制限値下限Ｗminが求まり、ステップＳ２２またはステップＳ２３において、ＬＰＰ制限値上限Ｗmaxが求まる。
【００４２】
そして、ステップＳ２４において、ＷminおよびＷmaxの平均値が最適ＬＰＰ制限幅Ｗoptとして求められる。ステップＳ２５において、Ｗoptが所定値より小さいか否かが判定される。所定値は、ＬＰＰを検出するのに適切な値であり、予め設定された目標値である。Ｗoptが所定値より小さいと判定されると、ステップＳ２６において、ＬＰＰスライスレ
ベルが１段下げられる。スライスレベルの変化の幅も予め適切な値に設定されている。そして、処理が終了する。
【００４３】
ステップＳ２５において、Ｗoptが所定値以上と判定されると、ステップＳ２７におい
て、Ｗoptが所定値より大きいか否かが判定される。 Ｗoptが所定値より大きいと判定さ
れると、ステップＳ２８において、ＬＰＰスライスレベルが１段上げられる。そして、処理が終了する。
【００４４】
このようなアドレス復号処理は、ＬＰＰ幅制限値Ｗlimの適正範囲を予め設定しなくて
も、正しい復号結果を得ることが可能である。また、正しくＬＰＰを検出できるＬＰＰ幅制限値Ｗlimの適正範囲または平均値が予め設定した所定値となるように制御され、ＬＰ
Ｐ検出の能力を高めることができる。
【００４５】
光ディスク上には、トラックに対して多数の位置にアドレスが記録されている。上述したアドレス復号処理は、ディスク上でアドレス情報が得られたら、その都度行うようにしても良く、または、最低限１回の処理を行うようにしても良い。
【００４６】
以上、この発明の一実施の形態について具体的に説明したが、この発明は、上述した一実施の形態に限定されるものではなく、この発明の技術的思想に基づく各種の変形が可能である。例えばこの発明は、プッシュプル信号においてＬＰＰに対応して正側に限らず、負側にパルスが発生する場合に対しても適用することができる。
【図面の簡単な説明】
【００４７】
【図１】この発明を適用することができる光ディスク装置におけるランドプリピットの検出の説明に用いる略線図である。
【図２】この発明の一実施の形態による光ディスク装置のブロック図である。
【図３】この発明の一実施の形態におけるＬＰＰ検出部の一例のブロック図である。
【図４】この発明の一実施の形態の動作説明に用いるプッシュプル信号、２値化ＬＰＰ信号、ＬＰＰ幅計測値のそれぞれの一例を示す略線図である。
【図５】この発明の一実施の形態におけるアドレス復号方法の一例を説明するためのフローチャートである。
【図６】この発明の一実施の形態におけるアドレス復号方法の他の例を説明するためのフローチャートである。
【図７】この発明の一実施の形態におけるアドレス復号方法の他の例を説明するためのフローチャートである。
【符号の説明】
【００４８】
１  光ディスク
３  光ピックアップ
１０  ホストインターフェース
１５  サーボエラー信号生成部
１６  ＬＰＰ検出部
１７  アドレスデコーダ
１８  システムコントローラ
【図１】
2008004240.tif 000003
【図２】
2008004240.tif 000004
【図３】
2008004240.tif 000005
【図４】
2008004240.tif 000006
【図５】
2008004240.tif 000007
【図６】
2008004240.tif 000008
【図７】
2008004240.tif 000009